(57)【要約】【課題】仮設作業場を容易に設置できるようにしたエアーテントを提供する。【解決手段】本発明に係るエアーテント１００によれば、テント本体１の天井に這わされた３本のロープ３が、プレート６により当該テント本体１の天井に固定されるものである。これにより、エアーテント１００を収納する時において、テント本体１の天井に這わされた３本のロープ３がプレート６により固定されている。従って、エアーテント１００を設置する時に、一々ロープ３をプレート６に挿通させる必要なく、そのままテント本体１にエアーを供給してエアーテント１００を膨らませ、各ロープ３の両端を重石４により固定すればエアーテント１００を設置できる。従って、エアーテント１００を用いて仮設作業場を容易に設置できるようになる。【選択図】図１
2011149199.tif 000002
【特許請求の範囲】
【請求項１】
エアーポンプによりエアーが供給されて膨張する膨張部を有したテント本体と、
前記テント本体の天井に這わされる複数本のロープと、
前記複数本のロープを前記テント本体の天井に固定するプレートと、
前記ロープの両端を固定する固定部材とを備えることを特徴とするエアーテント。
【請求項２】
前記プレートは前記ロープを挿通する半円部を有し、
前記プレートの半円部に挿通されたロープを固定するストッパーを備えることを特徴とする請求項１に記載のエアーテント。
【発明の詳細な説明】
【技術分野】
【０００１】
本発明は、仮設作業場に設置されるエアーテントに関するものである。
【背景技術】
【０００２】
従来、原子力発電所では、放射性物品を扱う区域は、管理区域として設定して管理している。機器の点検等で建物の屋上に一時管理区域を設定して管理区域専用作業服に着替えたり、取替部品を仮置きしたりする場合がある。例えば、建物の排気処理装置のフィルターを取替える際に、建物の屋上に一時管理区域を設定して管理区域専用作業服に着替える。この場合、鋼管材、テント幕などをクレーンにより建物の屋上まで吊り上げて、テントを組み立てて仮設作業場を設置している。
【０００３】
特許文献１には、エアーテントが開示されている。このエアーテントによれば、内部に空気を吹き込んで膨張させた気柱を骨組みとし、当該気柱間に跨ってシート状の天幕を展開させて自立したエアーテントを設置するものである。
【先行技術文献】
【特許文献】
【０００４】
【特許文献１】特開２００３−１７５５５９号公報
【発明の概要】
【発明が解決しようとする課題】
【０００５】
ところで、従来例に係る仮設作業場の設置によれば、鋼管材、テント幕などをクレーンにより建物の屋上まで吊り上げてテントを組み立てる必要があり、労力と時間（約１日程度）を要していた。さらに、作業が終了すると、組み立てたテントを解体して再びクレーンにより建物の下まで鋼管材およびテント幕を降ろす必要があった。仮設作業場を設置しておく期間は１日〜数日程度であり、しかも、仮設作業場の用途は管理区域専用の作業服に着替えることであり、仮設作業場を設置する労力と時間をできるだけ少なくすることが望ましい。また、特許文献１においては、屋外に仮設するにも関わらずエアーテントを固定する手段がないために、暴風などによりエアーテントが吹き飛ばされてエアーテントが転倒したり、その位置が移動したりするおそれがある。
【０００６】
そこで、本発明はこのような従来例に係る課題を解決したものであって、容易に設置できると共に位置を固定できるエアーテントを提供することを目的とする。
【課題を解決するための手段】
【０００７】
上述した課題を解決するために、本発明に係るエアーテントは、エアーポンプによりエアーが供給されて膨張する膨張部を有したテント本体と、前記テント本体の天井に這わされる複数本のロープと、前記複数本のロープを前記テント本体の天井に固定するプレートと、前記ロープの両端を固定する固定部材とを備えるものである。
【０００８】
本発明において、エアーポンプは、テント本体の膨張部にエアーを供給する。テント本体の膨張部は、エアーポンプによりエアーが供給されると逆Ｕ字形状に膨らむ。このとき、テント本体の天井に這わされた複数本のロープはプレートにより固定されているので、一々ロープをプレートに挿通させる必要なく、各ロープの両端を固定部材により固定できる。
【発明の効果】
【０００９】
本発明に係るエアーテントによれば、テント本体の天井に這わされた複数本のロープが、プレートにより当該テント本体の天井に固定されるものである。これにより、エアーテントを収納する時において、テント本体の天井に這わされた複数本のロープがプレートにより固定されている。従って、エアーテントを設置する時に、一々ロープをプレートに挿通させる必要なく、そのままテント本体にエアーを供給してエアーテントを膨らませ、各ロープの両端を固定部材により固定すればエアーテントを設置できる。従って、エアーテントを用いて仮設作業場を容易に設置できるようになる。
【図面の簡単な説明】
【００１０】
【図１】本発明に係るエアーテント１００の構成例を示す斜視図である。
【図２】エアーテント１００の入口部７が開かれた状態を示す斜視図である。
【図３】Ａは、プレート６の構成例を示す斜視図であり、Ｂは、ロープ３の位置をストッパー９，９により固定する例を示す図である。
【図４】他のエアーテント１００Ａの構成例を示す斜視図である。
【発明を実施するための形態】
【実施例１】
【００１１】
続いて、図面を参照しながら本発明に係る実施の形態について説明する。図１は、本発明に係るエアーテント１００の構成例を示す斜視図である。図１に示すエアーテント１００は、テント本体１、エアーポンプ２、３本のロープ３、６個の重石４および６個の
収納袋１２を備えている。重石４は固定部材の一例である。
【００１２】
テント本体１はビニール素材で形成され、逆Ｕ字形状の膨張部１ａおよび入口部７を備え、短手方向の長さ（幅長）が２ｍ〜３ｍ、長手方向の長さ（奥行長）が４ｍ〜５ｍである。逆Ｕ字形状の膨張部１ａの下部の４箇所にはそれぞれ、結合部５が設けられている。エアーポンプ２は結合部５に結合され、膨張部１ａにエアーを供給してエアーテント１００を膨らます。通常は１台のエアーポンプ２を結合部５に結合してエアーを膨張部１ａに供給する。早急にエアーテント１００を膨らませたい場合は、４台のエアーポンプ２を用意して、４箇所の結合部５にエアーポンプ２を夫々結合して４台のエアーポンプ２から一斉にエアーを膨張部１ａに供給する。
【００１３】
テント本体１の入口部７には、左扉７Ｌおよび右扉７Ｒが設けられている。左扉７Ｌは、ファスナー７ｂ，７ｄにより開閉され、右扉７Ｒは、ファスナー７ｃ，７ｅにより開閉される。左扉７Ｌおよび右扉７Ｒは、ファスナー７ｂ〜７ｅが閉じられた状態で、テープ７ａにより止められて閉じられる。テープ７ａには、マジックテープ（登録商標）などが適用される。
【００１４】
エアーテント１００を所定の位置に固定するために、３本のロープ３および６個の重石４が設けられている。ロープ３は、例えば化学繊維や天然繊維を撚り合わせて太くして形成されている。なお、ロープ３は金属製のワイヤーであってもよい。ロープ３の夫々は略等間隔に配置され、テント本体１の天井を這わせて両端を重石４，４により固定されている。この例で、１本のロープ３は、テント本体１の天井の３箇所に設置されたプレート６に挿通されている。プレート６に挿通されたロープ３の両端部は例えば不図示のフック部材が取り付けられ、このフック部材が、重石４に設けられた不図示の引っ掛け部に引っ掛けられてロープ３の両端部が固定される。このように、ロープ３をテント本体１の天井に這わせてその両端を重石４，４に取り付けることで、エアーテント１００を設置場所に固定でき、暴風などによってエアーテント１００の位置が移動することを防止できる。
【００１５】
テント本体１（膨張部１ａ）の側面部のそれぞれには、ロープ３を収納するための収納袋１２が取り付けられている。本例では、テント本体１の左右の各側面部に、ロープ３の本数に応じた個数（３個ずつ）の収納袋１２が取り付けられている。収納袋１２は、例えばテント本体１と同様にビニール素材からなり、その上端を開口するようにしてテント本体１の側面部に取り付けられている。また、収納袋１２は、プレート６よりも下方であってテント本体１の高さ方向における略中央部に取り付けられ、プレート６に固定されていないフリー部分のロープ３が収納可能な構成となっている。これにより、エアーテント１００の持ち運び時や収納時に、ロープ３が邪魔にならずに作業を行うことができ、作業の効率化を図ることができる。
【００１６】
続いて、エアーテント１００の設置方法について説明する。この例では、原子力発電所における建物の屋上に一時管理区域を設定し、この建物の屋上にエアーテント１００を設置して仮設作業場を設ける。
【００１７】
階段やエレベータなどにより屋上までエアーテント１００を運ぶ。この例で、エアーテント１００は、膨張部１ａのエアーが抜かれて折り畳まれて袋などに収納されている。エアーテント１００の収納時において、３本のロープ３は、プレート６によりテント本体１に取り付けられると共に収納袋１２に収納された状態で収納されている。
【００１８】
エアーテント１００を袋から取り出すと共に収納袋１２から各ロープ３を取り出した後、折り畳まれたエアーテント１００のいずれかの結合部５にエアーポンプ２を結合する。結合後、エアーポンプ２を起動させてエアーテント１００の膨張部１ａにエアーを供給する。これにより、膨張部１ａは徐々に膨らんでいき、逆Ｕ字形状を形成する。既に３本のロープ３はプレート６によりテント本体１に取り付けられているので、一々ロープ３をプレート６に挿通させる必要なく、各ロープ３の両端を重石４により固定する。このようにして、エアーテント１００を設置する。なお、各ロープ３の両端を重石４により固定したが、これに限らず、各ロープ３の両端を周囲のフェンスやポールなどに固定するようにしてもよい。
【００１９】
図２は、エアーテント１００の入口部７が開かれた状態を示す斜視図である。図２に示すように、エアーテント１００の入口部７を開く場合、左扉７Ｌおよび右扉７Ｒを閉じているテープ７ａ（図１参照）を外し、図２に示す位置までファスナー７ｂ，７ｄをスライドさせて左扉７Ｌを開き、当該左扉７Ｌを束ねてテープ８により係止する。同様に、ファスナー７ｃ，７ｅをスライドさせて右扉７Ｒを開き、当該右扉７Ｒを束ねてテープ８により係止する。これにより、図１に示した入口部７が閉じた状態から、図２に示すように入口部７を開いた状態に移行でき、エアーテント１００に出入りが容易になる。もちろん、左扉７Ｌまたは右扉７Ｒのいずれか片方のみを開いて出入りするようにしてもよい。テント本体１の底面にはシート１ｂが設けられ、このシート１ｂは膨張部１ａと一体形成されている。テント本体１は、天井の膨張部１ａ、底面のシート１ｂ、前面部１ｃおよび不図示の背面部により囲まれたトンネル形状の空間を有し、このトンネル形状の空間は密閉されている。
【００２０】
続いて、プレート６について詳細に説明する。図３Ａは、プレート６の構成例を示す斜視図である。図３に示すプレート６はΩ形状に形成され、半円部６ａおよび取付部６ｂ，６ｂを備えている。プレート６は、平板状の取付部６ｂ，６ｂが膨張部１ａの天井部分に接着剤等により貼着されて固定されている。ロープ３は、膨張部１ａに貼着されたプレート６の半円部６ａに挿通されてテント本体１に固定される。上述したように、１本のロープ３は、３個のプレート６によってテント本体１に固定されている。
【００２１】
エアーテント１００のエアーを抜いて折り畳んで収納する際には、ロープ３をテント本体１のプレート６に挿通して取り付けた状態で収納する。従って、エアーテント１００を収納して保管する際に、付属品であるロープ３が紛失することを防止できる。さらに、エアーテント１００を設置する際に、一々ロープ３をプレート６に挿通させる手間を省略できるので、エアーテント１００の設置が容易になる。
【００２２】
続いて、ロープ３をプレート６に固定する方法について説明する。図３Ｂは、プレート６に挿通されたロープ３の位置を固定する方法を示す図である。この例では、プレート６に挿通されたロープ３をストッパー９，９により固定している。ストッパー９は、上円弧部９ａ、下円弧部９ｂ、蝶番９ｃおよびネジ９ｄを備えている。上円弧部９ａと下円弧部９ｂは蝶番９ｃにより回動自在に固定されている。上円弧部９ａから延設されたネジ止め部９ｅと下円弧部９ｂから延設されたネジ止め部９ｆがネジ９ｄにより螺合されて、ストッパー９がロープ３に締め付けられて固定される。
【００２３】
このように、ストッパー９，９をプレート６の両側に配置するようにロープ３に固定すると、当該ロープ３の位置が固定される。これにより、図３Ａに示したプレート６に挿通されたロープ３よりも、図３Ｂに示すストッパー９，９に固定されたロープ３のほうがロープ３の位置が収納時にずれないので、エアーテント１００の設置が容易になる。このように、ストッパー９，９によりロープ３の位置がずれないように固定してもよい。もちろん、図３Ａに示した状態でも収納時にロープ３はプレート６にから大きく移動する可能性は低いので、ストッパー９，９を用いなくてもよい。
【００２４】
本発明に係るエアーテント１００によれば、テント本体１の天井に這わされた３本のロープ３が、プレート６により当該テント本体１の天井に固定されるものである。これにより、エアーテント１００を収納する時において、テント本体１の天井に這わされた３本のロープ３がプレート６により固定されている。従って、エアーテント１００を設置する時に、一々ロープ３をプレート６に挿通させる必要なく、そのままテント本体１にエアーを供給してエアーテント１００を膨らませ、各ロープ３の両端を重石４により固定すればエアーテント１００を設置できる。従って、エアーテント１００を用いて仮設作業場を容易に設置できるようになる。
【実施例２】
【００２５】
続いて、他の実施形態に係るエアーテント１００Ａについて説明する。図４は、エアーテント１００Ａの構成例を示す斜視図である。図４に示すエアーテント１００Ａは、図１に示したエアーテント１００のようにロープ３でテント本体１を固定するものではなく、エアーテント１００Ａの縁部１０Ｒ，１０Ｌに複数個の重石１１を載置して位置を固定するものである。なお、図１に示したエアーテント１００と同じ構成要素には同一の符号を付し、その詳細な説明は省略する。
【００２６】
エアーテント１００Ａは、テント本体１Ａ、エアーポンプ２、縁部１０Ｒ，１０Ｌおよび６個の重石１１を備えている。テント本体１Ａは、逆Ｕ字形状の膨張部１ａおよび入口部７を備えている。逆Ｕ字形状の膨張部１ａの下部の４箇所にはそれぞれ、結合部５が設けられている。エアーポンプ２は結合部５に結合され、膨張部１ａにエアーを供給してエアーテント１００Ａを膨らます。
【００２７】
エアーテント１００Ａを所定の位置に固定するために、逆Ｕ字形状の膨張部１ａから延設された縁部１０Ｒ，１０Ｌが設けられ、縁部１０Ｒに３個の重石１１と縁部１０Ｌに３個の重石１１が載置されている。このように、エアーテント１００Ａの縁部１０Ｒ，１０Ｌに複数個の重石１１を載置してエアーテント１００Ａの位置を固定するようにしてもよい。なお、エアーテント１００，１００Ａは、上述した原子力発電所の建物の屋上に使用するだけでなく、処理水ポンプ・処理水タンク等の飛び地の放射線管理区域での点検作業の際にも使用可能である。
【産業上の利用可能性】
【００２８】
本発明は、仮設作業場に設置されるエアーテントに適用して極めて好適である。
【符号の説明】
【００２９】
１ａ・・・膨張部、１・・・テント本体、２・・・エアーポンプ、３・・・ロープ、４・・・重石（固定部材）、６・・・プレート、６ａ・・・半円部、９・・・ストッパー、１２・・・収納袋、１００，１００Ａ・・・エアーテント
【図１】
2011149199.tif 000003
【図２】
2011149199.tif 000004
【図３】
2011149199.tif 000005
【図４】
2011149199.tif 000006